(57)【要約】【課題】画像形成装置においてオペレータが各給紙部に所望の用紙を割り当てる作業をする場合、給紙部への用紙情報の設定と、物理的にセットした用紙とが、一致している必要がある。しかし、オペレータが、給紙部に設定された用紙情報と異なる用紙を誤ってセットしてしまうことがあり、この場合、紙詰まりが発生したり、予期せぬ成果物が出力されたり、生産性が低下してしまう。【解決手段】指定した給紙部にオペレータが所望の用紙情報を割り当てたときに、給紙部を物理的にオープンする。これにより、オペレータによる給紙部への給紙の誤りを防ぎ、給紙部に設定された用紙情報と一致する用紙を確実に給紙できるシステムを提供する。【選択図】図４
2019188691.tif 000002
【特許請求の範囲】
【請求項１】
複数の給紙部からなる給紙手段と、
前記給紙部の開閉を制御する開閉制御手段と、
受信手段と、を有する画像形成装置であって、
前記受信手段が、指定された１つの給紙部に、選択された１つの属性を有する用紙を割り当てる指示を受信すると、
前記開閉制御手段が、前記指定された１つの給紙部をオープンする
ことを特徴とする画像形成装置。
【請求項２】
前記受信手段が前記指示を受信すると、
前記開閉制御手段が、前記指定された１つの給紙部を一定時間の経過後にオープンする
ことを特徴とする請求項１に記載の画像形成装置。
【請求項３】
前記受信手段が、前記一定時間の中で、前記指定された１つの給紙部のオープンをキャンセルする指示を受信すると、
前記開閉制御手段が、前記指定された１つの給紙部のオープンをキャンセルする
ことを特徴とする請求項２に記載の画像形成装置。
【請求項４】
前記開閉制御手段は、リモートからの指示でオープン可能な給紙部のみオープンする
ことを特徴とする請求項１〜３のいずれか１項に記載の画像形成装置。
【請求項５】
請求項１の画像形成装置と、
表示手段と、を有する
ことを特徴とする印刷システム。
【請求項６】
前記画像形成装置が、前記表示手段を有する
ことを特徴とする請求項５に記載の印刷システム。
【請求項７】
前記表示手段が、前記複数の給紙部にそれぞれ設定されている用紙の属性を表示する
ことを特徴とする請求項５または６に記載の印刷システム。
【請求項８】
前記表示手段が、前記複数の給紙部のいずれかに設定可能な用紙の属性を表示する
ことを特徴とする請求項５〜７のいずれか１項に記載の画像形成装置。
【請求項９】
前記表示手段に表示された、前記複数の給紙部のいずれかに設定可能な用紙の属性の中から１つの用紙の属性が選択されると、
前記表示手段が、前記１つの用紙の属性を設定可能な１つまたは２つ以上の給紙部を表示する
ことを特徴とする請求項８に記載の印刷システム。
【請求項１０】
前記表示手段に表示された、前記１つまたは２つ以上の給紙部のうちのいずれか１つの給紙部が指定されると、
前記受信手段が、指定された前記１つの給紙部に前記１つの用紙の属性を有する用紙を割り当てる指示を受信する
ことを特徴とする請求項９に記載の印刷システム。
【請求項１１】
前記表示手段において、給紙部をオープンする条件を設定可能である
ことを特徴とする請求項５〜１０のいずれか１項に記載の印刷システム。
【請求項１２】
請求項２の画像形成装置と、
表示手段と、を有する
ことを特徴とする印刷システム。
【請求項１３】
前記表示手段において、前記一定時間を設定可能である
ことを特徴とする請求項１２に記載の印刷システム。
【請求項１４】
複数の給紙部からなる給紙手段と、
前記給紙部の開閉を制御する開閉制御手段と、
受信手段と、を有する画像形成装置の制御方法であって、
前記受信手段が、指定された１つの給紙部に選択された１つの属性を有する用紙を割り当てる指示を受信すると、
前記開閉制御手段が、前記指定された１つの給紙部をオープンする
ことを特徴とする画像形成装置の制御方法。
【請求項１５】
請求項１４に記載の画像形成装置の制御方法をコンピュータにより実行させるためのプログラム。
【発明の詳細な説明】
【技術分野】
【０００１】
本発明は、複数の給紙部に各種の属性を有する用紙を割り当てることができる画像形成装置に関する。
【背景技術】
【０００２】
プロダクション印刷市場において、複数の給紙デッキや、手差しトレイやインサータなどを含む多様な給紙部を備えたデジタル複合機（以下、画像形成装置と言う）が使用されている。ここでは、オペレータは、画像形成装置の操作パネルや、画像形成装置に接続されている印刷制御装置の操作部などにおいて、画像形成装置の各給紙部に給紙する用紙の属性を設定する。そして、その属性と一致する用紙を用紙部に給紙することにより、所望の用紙に印刷する。ここで、用紙の属性とは、例えば、用紙の種別、サイズ、坪量、表面性などの、用紙を識別するための識別情報である。また、用紙の属性は、ユーザインターフェース画面上に表示されることもある。
【０００３】
このように、プロダクション印刷用の画像形成装置においては、複数の給紙部に給紙する用紙の属性を給紙部ごとに設定できるため、各給紙部に設定されている用紙の属性と、実際に給紙されている用紙の属性を一致させるために注意が必要である。用紙の不一致が発生すると、印刷中に紙詰まりが発生したり、所望の用紙以外の用紙で成果物が出力されたりして、画像形成装置を使用するオペレータの生産性が著しく低下する。
例えば、特許文献１には、給紙デッキの開閉を検知した際、給紙デッキに給紙されている用紙のサイズや用紙の残量に変化がある場合には、用紙の種類の設定を促す画面を表示する印刷装置が開示されている。これにより、特許文献１では、給紙デッキへの用紙の種類を設定する際の誤りの防止を図っている。
【先行技術文献】
【特許文献】
【０００４】
【特許文献１】特開２０１５−２２３７９６号公報
【発明の概要】
【発明が解決しようとする課題】
【０００５】
しかしながら、特許文献１では、給紙デッキに用紙の種類を設定するよりも先に給紙デッキを開いて用紙を給紙する場合には有効であるが、先に給紙デッキに用紙の種類を設定した場合には、給紙デッキへの給紙の誤りを防ぐことはできない。
そこで、本発明は、各給紙部に設定された用紙の属性と一致する用紙が正しく給紙されるようにすることを目的とする。
【課題を解決するための手段】
【０００６】
本発明は、複数の給紙部からなる給紙手段と、前記給紙部の開閉を制御する開閉制御手段と、受信手段と、を有する画像形成装置であって、前記受信手段が、指定された１つの給紙部に、選択された１つの属性を有する用紙を割り当てる指示を受信すると前記開閉制御手段が、前記指定された１つの給紙部をオープンすることを特徴とする。
【発明の効果】
【０００７】
本発明により、画像形成装置の給紙部に設定された用紙の属性と一致する用紙を確実に給紙デッキに給紙することができるため、オペレータの操作性が向上する。
【図面の簡単な説明】
【０００８】
【図１】印刷システムの全体構成である。
【図２】画像形成装置のハードウェア構成を示すブロック図である。
【図３】印刷制御装置のハードウェア構成を示すブロック図である。
【図４】用紙管理アプリケーションのトップ画面の一例である。
【図５】印刷制御装置の起動時の処理を示すフローチャートである。
【図６】画像形成装置の起動時の処理を示すフローチャートである。
【図７】給紙部を開閉する機構を説明する図である。
【図８】用紙リスト欄の表示の一例である。
【図９】印刷制御装置と画像形成装置とで行われる処理の連携した流れを示すフローチャートである（実施形態１）。
【図１０】給紙部へ用紙を割り当てる処理を示すフローチャートである（実施形態１）。
【図１１】給紙部をオープンする条件を設定する設定画面の一例である。
【図１２】印刷制御装置と画像形成装置とで行われる処理の連携した流れを示すフローチャートである（実施形態２）。
【図１３】給紙部へ用紙を割り当てる処理を示すフローチャートである（実施形態２）。
【図１４】給紙部に用紙を割り当てる際の設定画面一例である。
【発明を実施するための形態】
【０００９】
以下、本発明を実施するための形態について図面を用いて説明する。
＜実施形態１＞
図１は、印刷システム１００の全体構成を示す図である。
印刷システム１００は、画像形成装置１０３と、印刷制御装置１０２を備えている。そして、印刷システム１００は、クライアントコンピュータ１０１と通信可能に接続されている。
クライアントコンピュータ１０１と印刷制御装置１０２とは、イーサネット（登録商標）ケーブル１０９及びＬＡＮ（Local Area Network）１１０を介して通信可能に接続されている。また、印刷制御装置１０２と画像形成装置１０３とは、画像ビデオケーブル１０７及び制御ケーブル１０８を介して接続されている。なお、制御ケーブル１０８としてはＬＡＮケーブルが用いられ、以下、制御ケーブル１０８をＬＡＮ１０８と呼ぶこともある。
【００１０】
なお、図１に示す印刷システム１００においては、画像形成装置１０３はＬＡＮ１１０に直接接続されていない。画像形成装置１０３とクライアントコンピュータ１０１とは、印刷制御装置１０２を介して通信する。
但し、画像形成装置１０３は、ＬＡＮ１１０に接続されてもよい。すなわち、画像形成装置１０３は、直接、クライアントコンピュータ１０１と通信可能に接続されていてもよい。
【００１１】
クライアントコンピュータ１０１は、オペレータの操作によりアプリケーションを起動させて、印刷システム１００に印刷指示などを行う。
印刷制御装置１０２は、画像形成装置１０３と連携して画像処理を行う。
画像形成装置１０３は、各種の機能を有する複合機である。また、画像形成装置１０３は、クライアントコンピュータ１０１や印刷制御装置１０２から指示された画像処理を行う他に、スキャナ部１０４から読み込んだデータをコピーしたり、共有フォルダに送信したりすることも可能である。
【００１２】
操作部１０５は、スキャナ部１０４で画像を走査するために、各種キーを介して、オペレータから各種の指示を受け付ける。また、操作部１０５は、パネルを介して、スキャン状態など、画像形成装置１０３に関する各種の情報を表示する。
排紙部１０６は、画像が形成された用紙を受け取り、受け取った用紙を排紙する。
【００１３】
印刷制御装置１０２は、コントローラ部３００を備える。
印刷制御装置１０２の表示部１１１は、印刷制御装置１０２に関する情報を表示する。
印刷制御装置１０２の操作ボタン部１１２は、オペレータに押下されることにより、表示部１１１に表示されている情報の操作を行う。表示部１１１には、印刷制御装置１０２を操作する上で、最低限必要となる情報（例えば、電源操作やＩＰアドレスの確認）が表示される。
【００１４】
印刷制御装置１０２の表示装置１１３は、液晶モニタなどからなる表示手段である。表示手段は、ＬＡＮ１０８を介して、画像形成装置１０３に関する情報を表示する。
また、印刷制御装置１０２には、キーボード１１４や、マウス１１５などの操作手段が接続される。操作手段からは、ＬＡＮ１０８を介して、画像形成装置１０３を操作する情報が入力される。なお、マウスに代えて、他のポインティングデバイスを用いてもよい。
【００１５】
本実施形態の印刷システム１００では、印刷制御装置１０２と画像形成装置１０３とが別の装置として構成されている。しかし、印刷制御装置１０２を物理的に配置することなく、表示装置１１３を含めて、印刷制御装置１０２の機能を画像形成装置１０３の内部に包含してもよい。
また、表示装置１１３は、タッチパッドのような位置入力機能を持ち、マウス１１５のような操作手段としての機能を兼ね備えていてもよい。
【００１６】
給紙部１１６ａ〜１１６ｈ（以下、まとめて「給紙部１１６」と称することもある）は、印刷に使用する用紙を格納しておく装置である。印刷指示を受けると、給紙部１１６ａ〜１１６ｈのうちのいずれか１つの給紙部が選択され、選択された給紙部から用紙がフィードされる。なお、画像形成装置１０３に接続するオプション構成により、給紙部１１６の数は増減することもある。
なお、図１に示される例では、給紙部１１６は給紙デッキからなる。しかし、給紙デッキは給紙部の一例であり、インサータや手差しトレイなど、その他の給紙部であってもよく、その形態が限定されるものではない。
【００１７】
図２は、画像形成装置１０３のハードウェア構成を示すブロック図である。
画像形成装置１０３は、コントローラ部２００を備える。
以下に、コントローラ部２００が備える各種のデバイスについて説明する。
【００１８】
ＣＰＵ２０１は、ＲＯＭ２０３または外部記憶装置２１１に記憶された制御プログラムに基づいて、システムバス２０４に接続される各種のデバイスとのアクセスを総括的に制御する。
ＣＰＵ２０１は、印刷インターフェース２０７を介して接続されるプリントエンジン２１０（印刷部）に、出力情報としての画像信号を出力する。また、ＣＰＵ２０１は、読取インターフェース２１２を介して接続されるスキャナ２１３（読取部）から入力される画像信号を制御する。
また、ＣＰＵ２０１は、印刷インターフェース２０７を介して、プリントエンジン２１０に接続されている給紙部１１６を制御したり、給紙部１１６の状態を取得したりする。
なお、ＣＰＵ２０１は、ＬＡＮコントローラ２０６とＬＡＮ１０８を介して、印刷制御装置１０２との通信が可能となっている。
【００１９】
ＲＡＭ２０２は、主としてＣＰＵ２０１の主メモリ、ワークエリアなどとして機能する。
外部記憶装置２１１は、ハードディスク（ＨＤＤ）、ＩＣカードなどから構成され、ディスクコントローラ（ＤＫＣ）２０８によりアクセスが制御される。
外部記憶装置２１１は、アプリケーションプログラム、フォントデータ、フォームデータなどを記憶したり、プリントジョブを一時的にスプールし、スプールされたジョブを外部から制御するためのジョブ格納領域として使用される。また、外部記憶装置２１１は、ジョブログ、画像ログなどの各種のログを保持する。さらに、外部記憶装置２１１は、スキャナ２１３が読み取った画像データやプリントジョブの画像データをＢＯＸデータとして保持し、ネットワークから参照したり、印刷を行うＢＯＸデータ格納領域としても使用される。
本実施形態においては、外部記憶装置２１１としてはＨＤＤが用いられる。
【００２０】
操作パネルインターフェース２０５は、オペレータが操作パネル１０５上のソフトウェアキーやハードウェアキーから、各種の情報を入力するためのインターフェースである。
不揮発性メモリ２０９は、操作パネル２０５やネットワークを介して端末から設定される各種の設定情報を記憶する。
ビデオインターフェース２１４は、印刷制御装置１０２から画像データを受信する。
【００２１】
図３は、印刷制御装置１０２のハードウェア構成を示すブロック図である。
印刷制御装置１０２は、コントローラ部３００を備える。
以下に、コントローラ部３００が備える各種のデバイスについて説明する。
【００２２】
ＣＰＵ３０１は、ＲＯＭ３０３または外部記憶装置３０９に記憶された制御プログラムに基づいて、システムバス３０４に接続される各種のデバイスとのアクセスを総括的に制御する。
また、ＣＰＵ３０１は、ＬＡＮコントローラ３０６及びＬＡＮ１０８を介して、画像形成装置１０３との通信処理が可能である。また、ＣＰＵ３０１は、ＬＡＮコントローラ３０７及びＬＡＮ１１０を介して、ネットワーク上のクライアントコンピュータ１０１や画像形成装置１０３との通信が可能である。
【００２３】
ＲＡＭ３０２は、主としてＣＰＵ３０１の主メモリ、ワークエリアなどとして機能する。
外部記憶装置３０９は、ハードディスク（ＨＤＤ）、ＩＣカードなどから構成され、ディスクコントローラ（ＤＫＣ）３０８によりアクセスが制御される。
外部記憶装置３０９は、ここではハードディスクであり、アプリケーションプログラム、フォントデータ、フォームデータなどを記憶したり、プリントジョブを一時的にスプールする。また、外部記憶装置３０９は、スプールされたジョブを、ＲＩＰ（Raster Image Processor）処理し、再度保存するためのジョブ格納領域として使用される。
【００２４】
操作部インターフェース３０５は、オペレータが操作ボタン部１１２から各種の情報を入力する際のインターフェースである。また、操作部インターフェース３０５は、情報を表示部１１１へ表示する際のインターフェースでもある。なお、オペレータが入力した情報は、表示部１１１に表示される。
ビデオインターフェース３１０は、ＲＩＰ処理した画像データを画像形成装置１０３へ送信する。
キーボードコントローラ（ＫＢＣ）３１１は、キーボード１１４やマウス１１５などから入力された情報の処理を行う。
表示制御部（ＣＲＴＣ）３１２は、内部にビデオメモリを有し、ＣＰＵ３０１からの指示にしたがいビデオメモリに描画すると共に、ビデオメモリに描画された画像データをビデオ信号として表示装置１１３に出力する。
【００２５】
図４は、用紙管理アプリケーションが起動された際に、印刷制御装置１０２の表示装置１１３に表示されるトップ画面の一例である。
用紙管理アプリケーションは、各給紙部１１６ａ〜１１６ｈに設定された用紙の属性をオペレータが確認したり、各給紙部に対する用紙の属性情報の設定をオペラータが行うためのアプリケーションソフトウェアであり、印刷制御装置１０２上で動作する。
図４（ａ）は、画像形成装置１０３の各給紙部１１６ａ〜１１６ｈに設定されている用紙属性などの情報を表示するトップ画面４０１の表示例である。
図４（ｂ）は、画像形成装置１０３の各種の調整を行うための調整ボタン４１７を表示するトップ画面４０１の表示例である。
用紙管理アプリケーションのトップ画面４０１に表示される画像データは、ＣＰＵ３０１からの指示にしたがい、ビデオメモリに描画されるものである。ビデオメモリに描画された画像データは、ビデオ信号として表示装置１１３に出力され、表示される。
【００２６】
用紙管理アプリケーションのトップ画面４０１に表示される内容について説明する。
表示領域４０２内に表示された各種のボタンについては、タブコントロールにより選択することができる。
オペレータがデバイスタブ４０３を押下すると、表示領域４０２に画像形成装置１０３の給紙部１１６ａ〜１１６ｈに関する情報を示す画面が表示される（図４（ａ）を参照）。
また、オペレータが調整タブ４０４を押下すると、表示領域４０２に画像形成装置１０３の各種のパラメータの設定を行うための調整ボタン４１７を示す画面が表示される（図４（ｂ）を参照）。
【００２７】
図４（ａ）に示されるトップ画面４０１において、ハードウェアオプションの接続状況チャート４０５は、印刷制御装置１０２に接続中の、画像形成装置１０３のハードウェアオプションを表している。用紙管理アプリケーションが起動すると、ＣＰＵ３０１は、画像形成装置１０３のハードウェアオプションの接続状況に関する情報を取得し、表示部１１３に接続状況チャート４０５として表示する。なお、ハードウェアオプションとは、給紙部１１６ａ〜１１６ｈなどの、画像形成装置１０３に対してオプションとして着脱可能に接続される、ハードウェア部品のことである。
図４（ａ）に示される例においては、排紙部と、給紙部Ａ〜Ｈまでの給紙部と、が接続されている状態を表している。図４（ａ）に示された給紙部Ａ〜Ｈは、それぞれ、図１に示された画像形成装置１０３の給紙部１１６ａ〜１１６ｈに対応する。
【００２８】
給紙部ボタン４０６ａ〜４０６ｈは、用紙管理アプリケーションが起動した時にＣＰＵ３０１が取得した画像形成装置１０３の給紙部１１６の接続状況に関する情報に基づいて作成され、接続状況チャート４０５内に配置される。
用紙リスト欄４１４は、各種の用紙の属性を表示する欄である。用紙リスト欄４１４には、行ごとに用紙の属性に関する情報が表示される。スライダーバー４１５及び４１６を操作することにより、現在表示されていない用紙の属性に関する情報も表示することができる。
【００２９】
用紙割当ボタン４１９は、給紙部１１６ａ〜１１６ｈに給紙する用紙の割り当てを行うためのボタンである。
オペレータは、用紙リスト欄４１４に表示されている用紙の属性の中から、所望の１つを選択した状態で、用紙割当ボタン４１９ボタンを押下する。そうすると、選択された属性の用紙を設定可能な、１つまたは２つ以上の給紙部１１６ａ〜１１６ｈの給紙部ボタン４０６ａ〜４０６ｈが通常表示からハイライト表示に変化する。そして、ハイライト表示された給紙部の中からの所望の１つの給紙部をクリックすることにより、オペレータは、選択した用紙を指定した給紙部に割り当てることができる。
選択された用紙が設定可能である給紙部については、ＣＰＵ３０１が、画像形成装置１０３から取得した情報に基づいて判断する。
【００３０】
用紙の割り当てを行う手段としては、給紙部ボタン４０６ａ〜４０６ｈのいずれかをクリックする以外にも、用紙リスト欄４１４から所望の１つの用紙を選択してドラッグし、給紙部ボタン４０６ａ〜４０６ｈのいずれかへドロップしてもよい。この場合にも、選択された属性の用紙を割り当て可能な給紙部のみがハイライト表示される。
また、後述の図９において説明するが、用紙リスト欄４１４に表示されている用紙の中から任意の１つを選択した状態で、右クリックした場合に表示される給紙部のリストの中からいずれか１つの給紙部を選択することにより用紙を割り当てるようにしてもよい。
【００３１】
給紙部オープンボタン４０７ａ〜４０７ｈは、給紙部を物理的にオープンさせるためのボタンである。
オペレータが給紙部オープンボタン４０７ａ〜４０７ｈのいずれかを押下すると、画像形成装置１０３に対して、押下されたオープンボタンに対応した給紙部１１６ａ〜１１６ｈをオープンする指示がＬＡＮ１０７を介して送信される。画像形成装置１０３はオープン指示を受信すると、対象となる給紙部を物理的にオープンする。給紙部オープンボタン４０７ａ〜４０７ｈは、リモートからオープン指示を受信可能な給紙部にのみ表示される。
設定ボタン４２８は、用紙管理アプリケーションの各種の設定を行う画面を開くためのボタンである。設定ボタン４２８が押下されると、図４（ｂ）に示されるトップ画面４０１が開く。オペレータはこの画面上で各種の設定を行うことができる。
【００３２】
図４（ｂ）に示されるトップ画面４０１において、調整ボタン４１７内の各項目は、画像形成装置１０３について調整が可能な各種のパラメータを示している。現在表示されていないパラメータは、スライダーバー４１８を操作することにより表示させることができる。
【００３３】
図５は、用紙管理アプリケーションが起動してから、用紙管理アプリケーションのトップ画面４０１が作成される際に、印刷制御装置１０２で行われる処理を示すフローチャートである。
また、図６は、画像形成装置１０３が起動してから、画像形成装置１０３が用紙管理アプリケーションと通信して、印刷制御装置１０２と共有する情報を作成する処理を示すフローチャートである。
【００３４】
まず、図５のフローチャートについて説明する。
図５のフローチャートを実行するためのプログラムは、図３に示した印刷制御装置１０２のＨＤＤ３０９に格納されており、ＲＡＭ３０２に読み出され、ＣＰＵ３０１により実行される。
【００３５】
用紙管理アプリケーションが起動すると、Ｓ５０１において、用紙管理アプリケーションは用紙管理の対象となる画像形成装置１０３のモデルを判別する。
用紙管理アプリケーションは、画像形成装置１０３と通信を行い、Ｓ６０７（後述）において返信される情報から、モデルに関する情報を取得する。そして、用紙管理アプリケーションが予め保持しているモデル判別情報に基づいて、取得したモデルに関する情報から画像形成装置１０３のモデルを判別する。
用紙管理アプリケーションは、図４に示したハードウェアオプションの接続状況チャート４０５を作成する際や、モデルごとの仕様差を吸収する際に、画像形成装置１０３のモデルの判別結果を使用する。
Ｓ５０１において画像形成装置１０３のモデルを判別したら、Ｓ５０２へ遷移する。
【００３６】
Ｓ５０２において、用紙管理アプリケーションは、画像形成装置１０３と通信し、Ｓ６０９（後述）において返信される情報から、ハードウェアオプションに関する情報を取得する。そして、用紙管理アプリケーションは、画像形成装置１０３の接続されているハードウェアオプションを判別する。
用紙管理アプリケーションは、ハードウェアオプションの接続状況チャート４０５を作成するとき、給紙部１１６の情報を特定するとき、モデルごとの仕様差を吸収するときに、ハードウェアオプションの判別結果を使用する。
画像形成装置と通信してハードウェアオプションに関する情報を取得したら、Ｓ５０３へ遷移する。
【００３７】
Ｓ５０３において、用紙管理アプリケーションは、画像形成装置１０３と通信し、Ｓ６１１（後述）において、画像形成装置１０３の給紙部に関する情報を取得する。
給紙部に関する情報は、オプションデッキ、手差しトレイ、長尺用紙トレイなどの給紙部１１６の構成に関する情報と、各給紙部１１６ａ〜１１６ｈに設定されている用紙の属性に関する情報とを含む。また、用紙管理アプリケーションは、用紙管理の対象となる画像形成装置１０３に接続されている給紙部の判別を行い、接続されている給紙部の数を特定する。
Ｓ５０３において給紙部に関する情報を取得したら、Ｓ５０４に遷移する。
【００３８】
Ｓ５０４において、用紙管理アプリケーションは、画像形成装置１０３と通信を行う。そして、Ｓ６１１（後述）において返信される情報から、給紙部オープンボタン４０７ａ〜４０７ｈを押下することにより、対応する各給紙部１１６ａ〜１１６ｈがオープン可能であるか否かについての情報を取得する。
Ｓ５０４において給紙部のオープン可否に関する情報を取得したら、Ｓ５０５に遷移する。
【００３９】
Ｓ５０５において、用紙管理アプリケーションは、ハードウェアオプションの接続状況チャート４０５に表示される給紙部に関する情報を作成する。
接続状況チャート４０５に表示される給紙部に関する情報は、Ｓ５０３で取得した給紙部ボタン４０６ａ〜４０６ｈに関する情報と、Ｓ５０４で取得した給紙部オープンボタン４０７ａ〜４０７ｈに関する情報と、からなる。
給紙部ボタン４０６ａ〜４０６ｈの情報は、Ｓ５０３で取得した、各給紙部１１６ａ〜１１６ｈに設定されている用紙の属性に関する情報に基づいて作成する。また、給紙部オープンボタン４０７ａ〜４０７ｈの情報は、Ｓ５０４で取得した、各給紙部１１６ａ〜１１６ｈがオープン可能であるか否かについての情報に基づいて作成する。
Ｓ５０５において接続状況チャート４０５に表示される給紙部に関する情報を作成したら、Ｓ５０６に遷移する。
【００４０】
Ｓ５０６において、用紙管理アプリケーションは、画像形成装置１０３と通信を行い、Ｓ６１３（後述）において返信される用紙の属性に関する情報を取得する。
用紙の属性に関する情報とは、画像形成装置１０３に設定可能な用紙の属性の情報であり、用紙の種別（普通紙、透明紙、など）、サイズ、坪量などについての情報である。
Ｓ５０６において用紙の属性に関する情報を取得したら、Ｓ５０７に遷移する。
【００４１】
Ｓ５０７において、用紙管理アプリケーションは、用紙リスト欄４１４に表示する用紙の属性に関する情報を作成する。
用紙リスト欄４１４に表示する各用紙の属性に関する情報には、画像形成装置１０３の各給紙部１１６ａ〜１１６ｈに給紙できるか否かについての情報も含んでいる。
Ｓ５０７において用紙リスト欄４１４に表示する用紙の属性に関する情報を作成したら、Ｓ５０８に遷移する。
【００４２】
Ｓ５０８において、用紙管理アプリケーションは、画像形成装置１０３と通信を行い、Ｓ６１５（後述）において返信される情報から、画像形成装置１０３についての各種のパラメータの調整値に関する情報を取得する。
Ｓ５０８において調整値を取得したら、Ｓ５０９に遷移する。
【００４３】
Ｓ５０９において、用紙管理アプリケーションは、Ｓ５０８で取得した情報に基づいて、調整ボタン４１７に表示する、画像形成装置１０３についての各種のパラメータの内容を作成する。
調整値が１つしかない場合は調整あり／調整なしを表示し、調整値が２つ以上ある場合はその値を表示する。
Ｓ５０９で調整ボタン４１７を作成したら、Ｓ５１０に遷移する。
【００４４】
Ｓ５１０において、用紙管理アプリケーションは、Ｓ５０５で作成した給紙部に関する情報などから、表示領域４０２に表示する画面（図４（ａ）を参照）を作成する。
また、Ｓ５０７で作成した用紙の属性に関する情報から、用紙リスト欄４１４に表示する画面を作成する。
また、Ｓ５０９で作成した各種のパラメータについての情報から、表示領域４０２の調整ボタン４１７の欄に表示する画面（図４（ｂ）を参照）を作成する。
Ｓ５１０で画面を作成したら、Ｓ５１１に遷移する。
【００４５】
Ｓ５１１において、用紙管理アプリケーションは、画像形成装置１０３の給紙部に関する情報や用紙の属性に関する情報などが変更されたときに通知する状態変更の通知の送付先として、印刷制御装置１０２を登録する。
登録が成功したら、状態変更の通知の待ち受け処理を行う。状態変更の通知の待ち受け処理を実施すると、図５に示した処理は終了となる。
【００４６】
なお、これまで、図５に示したフローチャートは、用紙管理アプリケーションの起動時に行う処理として説明した。しかし、画像形成装置１０３の給紙部１１６に関する情報、用紙の属性に関する情報、画像形成装置１０３の各種のパラメータの調整値は、用紙管理アプリケーションの使用中にも随時変更される可能性がある。
したがって、これらのいずれかの情報が更新された場合、印刷制御装置１０２と画像形成装置１０３との間で、必要に応じて、随時、通信が行われる。そして、印刷制御装置１０２と画像形成装置１０３との間で、各情報は常に共有される。
【００４７】
次に、図６のフローチャートについて説明する。
図６のフローチャートに示された処理を実行するためのプログラムは、図２に示した画像形成装置１０３のＨＤＤ２１１に格納されており、ＲＡＭ２０２に読み出され、ＣＰＵ２０１によって実行される。
【００４８】
画像形成装置１０３が起動すると、Ｓ６０１において、画像形成装置１０３は、自身のモデルに関する情報をＨＤＤ２１１より取得し、返信可能なデータとして作成する。
Ｓ６０１においてモデルに関する情報を作成したら、Ｓ６０２に遷移する。
【００４９】
Ｓ６０２において、画像形成装置１０３は、自身に接続されているハードウェアオプションに関する情報をＨＤＤ２１１より取得し、返信可能なデータとして作成する。
Ｓ６０２において接続されているハードウェアオプションに関する情報を作成したら、Ｓ６０３に遷移する。
【００５０】
Ｓ６０３において、画像形成装置１０３は、自身の給紙部に関する情報をＨＤＤ２１１より取得し、返信可能なデータとして作成する。
Ｓ６０３において給紙部に関する情報を作成したら、Ｓ６０４に遷移する。
【００５１】
Ｓ６０４において、画像形成装置１０３は、自身の給紙部に設定されている用紙の属性に関する情報をＨＤＤ２１１より取得し、返信可能なデータとして作成する。
Ｓ６０４において用紙の属性に関する情報を作成したら、Ｓ６０５に遷移する。
【００５２】
Ｓ６０５において、画像形成装置１０３は、自身の各種のパラメータの調整値に関する情報をＨＤＤ２１１より取得し、返信可能なデータとして作成する。
調整値情報の取得は、画像形成装置１０３において調整可能なすべてのパラメータに対して実施される。
Ｓ６０５において調整値に関する情報を作成したら、Ｓ６０６に遷移する。
【００５３】
Ｓ６０６において、画像形成装置１０３は、モデルに関する情報の問い合わせを印刷制御装置１０２から受信したか否かを判断する。
用紙管理アプリケーションの起動フローＳ５０１においてモデルに関する情報の問い合わせがなされた場合、Ｓ６０７に遷移する。そして、Ｓ６０１で作成したモデルに関する情報を印刷制御装置１０２に返信し、Ｓ６０８に遷移する。
Ｓ６０６においてモデルに関する情報の問い合わせを受信していない場合、そのままＳ６０８に遷移する。
【００５４】
Ｓ６０８において、画像形成装置１０３は、接続されているハードウェアオプションに関する情報の問い合わせを印刷制御装置１０２から受信したか否かを判断する。
用紙管理アプリケーションの起動フローＳ５０２においてハードウェアオプションに関する情報の問い合わせがなされた場合、Ｓ６０９に遷移する。そして、Ｓ６０２で作成したハードウェアオプションに関する情報を印刷制御装置１０２に返信し、Ｓ６１０に遷移する。
Ｓ６０８においてハードウェアオプションに関する情報の問い合わせを受信していない場合、そのままＳ６１０に遷移する。
【００５５】
Ｓ６１０において、画像形成装置１０３は、給紙部に関する情報の問い合わせを印刷制御装置１０２から受信したか否かを判断する。
用紙管理アプリケーションの起動フローＳ５０３やＳ５０４において給紙部に関する情報の問い合わせがなされた場合、Ｓ６１１に遷移する。そして、画像形成装置１０３は、Ｓ６０３で作成した給紙部に関する情報を印刷制御装置１０２に返信し、Ｓ６１２に遷移する。
Ｓ６１０において給紙部に関する情報の問い合わせを受信していない場合、そのままＳ６１２に遷移する。
【００５６】
Ｓ６１２において、画像形成装置１０３は、給紙部に設定されている用紙の属性に関する情報の問い合わせを印刷制御装置１０２から受信したか否かを判断する。
用紙管理アプリケーションの起動フローＳ５０６において用紙の属性に関する情報の問い合わせがなされた場合、Ｓ６１３に遷移する。そして、画像形成装置１０３は、Ｓ６０４で作成した用紙の属性に関する情報を印刷制御装置１０２に返信し、Ｓ６１４に遷移する。
Ｓ６１２において用紙の属性に関する情報の問い合わせを受信していない場合、そのままＳ６１４に遷移する。
【００５７】
Ｓ６１４において、画像形成装置１０３は、各種のパラメータの調整値に関する情報の問い合わせを印刷制御装置１０２から受信したか否かを判断する。
用紙管理アプリケーションの起動フローＳ５０８において調整値に関する情報の問い合わせがなされた場合、Ｓ６１５に遷移する。そして、画像形成装置１０３は、調整値情報を印刷制御装置１０２に返信し、Ｓ６１６に遷移する。
Ｓ６１４において調整値に関する情報の問い合わせを受信していない場合、そのままＳ６１６に遷移する。
【００５８】
Ｓ６１６において、画像形成装置１０３は、給紙部に関する情報や用紙の属性に関する情報などが変更された時に、状態変更の通知を送信する際の送信先情報の登録依頼を印刷制御装置１０２から受信したか否かを判断する。
用紙管理アプリケーションの起動フローＳ５１１において状態変更の通知の送信先の登録依頼がなされた場合、Ｓ６１７に遷移する。そして、画像形成装置１０３は、通知の送信先として印刷制御装置１０２を追加し、Ｓ６１８に遷移する。
Ｓ６１６において、状態変更の通知の送信先の登録依頼を受信していない場合、そのままＳ６１８に遷移する。
【００５９】
Ｓ６１８において、画像形成装置１０３は、Ｓ６０６、Ｓ６０８、Ｓ６１０、Ｓ６１２、Ｓ６１４、Ｓ６１６における処理がすべて成功したか否かを判断する。
すべての処理が成功していた場合、図６のフローチャートは終了となる。
成功していない処理があった場合は、Ｓ６０６に戻る。
【００６０】
ここで、説明を図４に戻す。
給紙部ボタン４０６ａをマウス１１５などで押下すると、給紙部Ａの用紙を設定する画面（図４（ｂ）を参照）が表示され、給紙部Ａに用紙の設定をすること、設定されている用紙の設定値を変更すること、などが可能となる。他の給紙部ボタン４０７ｂ〜４０７ｈについても給紙部ボタン４０６ａと同じであるため、説明を省略する。
なお、ここでは詳細に説明しないが、給紙部には、インサータや手差しトレイなどの各種の給紙手段をすべて含むことは言うまでもない。また、以下の説明では、ボタン押下時などのアプリケーションの操作時に、マウス１１５を使用する、などのようなオペレータの動作に関する説明は省略するが、このような入力デバイスを使用してオペレータが操作することは言うまでもない。
【００６１】
次に、図７を用いて、給紙部１１６のオープン及びクローズを制御する開閉制御機構について説明する。
図７（ａ）は、給紙部１１６下段の給紙部オープンボタン７０１が押下され、給紙部１１６ｅが物理的にオープンしたときの状態を表す図である。また、図７（ｂ）は、給紙部１１６の前面カバー部分を背面から見た図である。
【００６２】
給紙部オープンボタン７０１が押下されると、給紙部１１６ｅの開閉を制御するソレノイド７０３が動作する。そして、給紙部ロック部７０４のロックが外れ、給紙部１１６ｅがオープン状態となる。これにより、給紙部１１６ｅを物理的に引き出すことが可能な状態となる。
この状態になると、バネ７０５のバネの力により、給紙部１１６ｅの前面が数センチ手前へ押し出される。また、給紙部１１６ｅがオープン状態となると、給紙部ロック検知センサ７０６により、給紙部１１６ｅのオープン状態を検知し、プリントエンジン部２１０を介して、ＲＡＭ２０２にオープン状態が通知される。
【００６３】
また、給紙部１１６ｅは、オペレータが給紙部１１６の前面を物理的に押し込むことにより、クローズされる。
給紙部１１６ｅがクローズすると、クローズしたことを給紙部ロック検知センサ７０６が検知し、プリントエンジン部２１０を介して、ＲＡＭ２０２に給紙部１１６ｅのクローズ状態が通知される。また、画像形成装置１０３の給紙部の状態変更を通知する送信先として登録されている送信先に、給紙部１１６ｅがクローズされたことが通知される。Ｓ６１７において印刷制御装置１０２が登録されていた場合は、印刷制御装置１０２にも状態変更の通知が送信される。
【００６４】
給紙部１１６ｅのオープンは、給紙部オープンボタン７０１を押下する以外に、用紙管理アプリケーションに配置されている給紙部オープンボタン４０７ｅを押下することによっても可能である。
給紙部オープンボタン４０７ａ〜４０７ｈが押下されると、画像形成装置１０３に対して、押下されたボタンに対応した給紙部１１６ａ〜１１６ｈのオープン指示がＬＡＮ１０７を介して送信される。画像形成装置１０３は、給紙部のオープン指示を受信すると、対象となる給紙部を物理的にオープンする。
【００６５】
図８は、図４の印刷制御装置１０２の表示装置１１３のトップ画面４０１に表示される画面のうち、用紙リスト欄４１４の部分のみを抽出して示した図である。
図８を用いて、給紙部１１６へ所望の属性の用紙の割り当てる際の処理を説明する。ここでは、用紙リスト欄４１４上の示された両面コート紙８０１を給紙部１１６へ割り当てる例を用いて説明する。
【００６６】
図８は、マウス１１５を左クリックして、両面コート紙８０１を選択し、さらに、マウス１１５を右クリックして、割り当て可能な１つまたは２つ以上の給紙部の一覧をコンテキストメニューとして表示させた状態を示している。
両面コート紙の割り当て可能な給紙部を判断するためには、Ｓ５０６において画像形成装置１０３から送信された、用紙リスト情報の各用紙のパラメータに設定されている情報が用いられる。
そして、コンテキストメニュー８０２に表示された給紙部の一覧の中から、両面コート紙を設定したい１つの給紙部（ここでは、給紙部Ａ）を選択すると、指定された給紙部１１６ａに両面コート紙が割り当てられる。
【００６７】
次に、図５で示した印刷制御装置１０２で行われる処理と、図６で示した画像形成装置１０３で行われる処理との、連携した流れについて、図９を用いて説明する。
印刷制御装置１０２において行われる処理を実行するプログラムは、印刷制御装置１０２の外部記憶装置３０９に格納されており、ＲＡＭ３０２に読み出され、ＣＰＵ３０１により実行される。
なお、ここでは、オペレータが、所望の属性の用紙（ここでは、両面コート紙）を所定の給紙部（ここでは、給紙部１１６ａ）に割り当て、割り当てた給紙部に所望の用紙を給紙して、印刷を行う例について説明する。
【００６８】
まず、Ｓ９０１において、用紙管理アプリケーションと画像形成装置１０３は、図５及び図６で説明した初期化処理を実行する。
次に、Ｓ９０２において、オペレータは、用紙管理アプリケーションのトップ画面４０１に用紙リスト欄４１４を表示させる指示を行う。
【００６９】
用紙管理アプリケーションは、オペレータからの用紙リスト欄４１４を表示する指示がなされると、Ｓ５０７で作成した用紙の属性に関する情報に基づいて用紙リスト欄４１４を生成する。
そして、Ｓ９０４において、Ｓ９０３で生成した用紙リスト欄４１４をトップ画面４０１に表示する。
【００７０】
ここで、図８を例にして、オペレータが、用紙リスト欄４１４から所望の１つの用紙（両面コート紙）を選択し、選択した属性の用紙を指定した給紙部（給紙部１１６ａ）に割り当てる処理について説明する。
まず、Ｓ９０５において、オペレータは、両面コート紙８０１を選択して、マウス１１５を右クリックする。
すると、Ｓ９０６において、用紙管理アプリケーションは、両面コート紙８０１を設定することができる給紙部のコンテキストメニュー８０２を生成する。
そして、Ｓ９０７において、図８に示されるように、用紙管理アプリケーションは、生成したコンテキストメニュー８０２を用紙リスト欄４１４上に表示する。
指定可能な給紙部１１６ａ〜１１６ｈの情報は、Ｓ５０６において画像形成装置１０３から取得した用紙の属性に関する情報の各用紙にパラメータとして設定されている。そこで、用紙管理アプリケーションは、コンテキストメニュー８０２を生成する際に、用紙の属性に関する情報を用いる。
【００７１】
次に、Ｓ９０８において、オペレータは、コンテキストメニュー８０２から用紙を割り当てる１つの給紙部（ここでは、給紙部Ａとする）を選択する。
すると、Ｓ９０９において、用紙管理アプリケーションは、選択中の両面コート紙８０１を給紙部Ａ（給紙部１１６ａ）へ割り当てる指示を、制御ケーブル１０８を介して、画像形成装置１０３へ送信する。
また、画像形成装置１０３は、ＬＡＮコントローラ２０６を介して用紙管理アプリケーションから用紙を割り当てる指示を受信すると、Ｓ９１０において、指定された給紙部（ここでは、給紙部Ａ）に対して、両面コート紙８０１を設定する。
なお、ここでは、右クリックを用いて用紙の割り当てを行う例を説明したが、前述したように、両面コート紙８０１を選択してマウス１１５をドラッグし、給紙部ボタン４０６ａへドロップすることにより用紙を割り当てるようにしてもよい。
【００７２】
Ｓ９１１において、画像形成装置１０３は、指定された給紙部Ａ（給紙部１１６ａ）への用紙の割り当てが成功した通知を、用紙管理アプリケーションへ送信する。
用紙管理アプリケーションは、用紙の割り当てが成功した通知を受信すると、Ｓ９１２において、給紙部Ａ（給紙部１１６ａ）の給紙部ボタン４０６ａに表示されている情報を更新する。
【００７３】
そして、Ｓ９１３において、用紙管理アプリケーションは、給紙部Ａ（給紙部１１６ａ）をオープンする指示を画像形成装置１０３へ送信する。
画像形成装置１０３は、給紙部Ａ（給紙部１１６ａ）をオープンする指示を受信すると、Ｓ９１４において、給紙部Ａ（給紙部１１６ａ）をオープンする。
そして、Ｓ９１５において、画像形成装置１０３は、給紙部Ａ（給紙部１１６ａ）がオープンしたことを用紙管理アプリケーションへ送信する。
用紙管理アプリケーションは、給紙部Ａ（給紙部１１６ａ）がオープンしたことを受信すると、Ｓ９１６において、給紙部Ａ（給紙部１１６ａ）のオープンボタン４０７ａをオープン状態のアイコンへ変更し、押下できない状態へ変更する。
【００７４】
ここで、用紙管理アプリケーションが実行する、給紙部へ用紙を割り当てる処理の流れを図１０のフローチャートを用いて説明する。
オペレータが用紙リスト欄４１４から所望の属性を有する１つの用紙を選択して右クリックすると、Ｓ１００１において、用紙管理アプリケーションは、割り当て可能な給紙部を示すコンテキストメニュー８０２を作成する。
選択中の属性の用紙を割り当て可能な給紙部の情報は、Ｓ５０６において画像形成装置１０３から取得した用紙の属性に関する情報にパラメータとして設定されている。そこで、用紙管理アプリケーションは、コンテキストメニュー８０２を生成する際に、この用紙の属性に関する情報を用いる。
【００７５】
Ｓ１００２において、用紙管理アプリケーションが、設定可能な給紙部のリストから給紙部のいずれかをオペレータが指定したことを受け付けると、Ｓ１００３へ進む。
Ｓ１００３において、用紙管理アプリケーションは、指定された給紙部に対して、選択した属性の用紙を割り当てる指示を、制御ケーブル１０８を介して画像形成装置１０３へ送信する。
【００７６】
Ｓ１００４において、用紙管理アプリケーションは、用紙を割り当てる指示に対する画像形成装置１０３からの返信を受信する。
画像形成装置１０３による用紙の割り当てが成功した場合には、Ｓ１００５へ進む。
用紙の割り当てが失敗した場合には、本フローチャートは終了する。
【００７７】
用紙の割り当てが成功した場合、Ｓ１００５において、用紙管理アプリケーションは、用紙の割り当てを指定された給紙部がリモートから指示でオープン可能な（リモートオープン可能な）機能を有するか否かを判断する。
ここで、オープン機能を有するか否かの判断は、給紙部ボタン４０６ａ〜４０６ｈ上に給紙部オープンボタン４０７ａ〜４０７ｈが生成されているので、この情報に基づいて行われる。
Ｓ１００５において、用紙の割り当てを指定された給紙部がリモートオープン可能な給紙部でない場合は、本フローチャートは終了する。
Ｓ１００５において、用紙の割り当てを指定された給紙部がリモートオープン可能な給紙部である場合は、Ｓ１００６へ進む。
そして、Ｓ１００６において、用紙管理アプリケーションは、指定された給紙部をオープンする指示を画像形成装置１０３へ送信する。
【００７８】
説明を図９に戻す。
Ｓ９１７において、オペレータは、画像形成装置１０３の給紙部１１６ａ〜ｈのうち、Ｓ９１６でオープンした給紙部Ａ（給紙部１１６ａ）へ両面コート紙の紙束をセットする。
そして、Ｓ９１８において、オペレータは給紙部Ａ（給紙部１１６ａ）をクローズする。
【００７９】
オペレータが給紙部Ａ（給紙部１１６ａ）をクローズすると、Ｓ９１９において、画像形成装置１０３は給紙部Ａ（給紙部１１６ａ）のクローズを検知する。
そして、Ｓ９２０において、画像形成装置１０３は、用紙管理アプリケーションへ給紙部Ａ（給紙部１１６ａ）のクローズを通知する。
また、Ｓ９２１において、用紙管理アプリケーションは、給紙部Ａ（給紙部１１６ａ）のオープンボタン４０７ａをクローズ状態へ変更し、押下できる状態に変更する。
【００８０】
次に、９２２において、オペレータは、クライアントコンピュータ１０１から、両面コート紙を選択して、印刷ジョブの投入を指示する。
すると、Ｓ９２３において、クライアントコンピュータ１０１は、指示された印刷ジョブを印刷制御装置１０２に投入する。
【００８１】
Ｓ９２４において、印刷制御装置１０２は、使用する給紙部として給紙部Ａ（給紙部１１６ａ）を指定する。
そして、Ｓ９２５において、印刷制御装置１０２は、画像形成装置１０３に対して、給紙部Ａ（給紙部１１６ａ）が指定されていることを送信し、印刷データである画像データを送信する。
すると、Ｓ９２６において、画像形成装置１０３は、給紙部Ａ（給紙部１１６ａ）から両面コート紙を給紙して、送信された画像データを印刷する。
【００８２】
図１１は、オペレータが給紙部に用紙を割り当てるときに、給紙部をオープンする条件を設定するための設定画面１１００の一例である。設定画面１１００は、用紙管理アプリケーションのトップ画面４０１において設定ボタン４２８を押下することにより、表示される。なお、ここで説明した設定画面は、印刷制御装置１０２の表示装置１１３上などに表示される。
【００８３】
チェックボックス１１０１は、用紙を割り当てるときに給紙部をオープンするか否かをオペレータが選択するために用いられる。
チェックボックス１１０１にチェックを入れない場合、用紙を割り当てるときに給紙部はオープンしない。すなわち、用紙管理アプリケーションは、図９のＳ９１３の給紙部のオープン指示を画像形成装置１０３へ送信しない。
【００８４】
一方、チェックボックス１１０１にチェックを入れた場合、ラジオボタン１１０２〜１１０５が有効となる。
そして、オペレータが、いずれか１つのラジオボタン１１０２〜１１０５を選択し、ＯＫボタン１１０５を押下することにより、選択したラジオボタンの設定が保存される。これにより、オペレータは、後述するように、用紙を割り当てるときに給紙部をオープンする条件を設定することができる。
【００８５】
オペレータがいずれかのラジオボタン１１０２〜１１０５を選択して、用紙を割り当てるときに給紙部をオープンする条件を設定すると、設定画面１１００は閉じられる。
また、オペレータがキャンセルボタン１００６を押下すると、画面上での変更がキャンセルされ、設定画面１１００が閉じられる。
【００８６】
チェックボックス１１０２が選択された場合、設定された給紙部に用紙を割り当てるときに、指定された給紙部を必ずオープンさせる。すなわち、用紙を割り当てるときに、前述の図９の給紙部のオープン指示（Ｓ９１３）が必ず画像形成装置１０３に送信される。
【００８７】
チェックボックス１１０３が選択された場合、用紙リスト欄４１４において、キーボード１１４のコントロールキーを押しながら、ドラッグした用紙を給紙部ボタン４０６ａ〜４０６ｈのいずれかにドロップした場合にのみ、対応する給紙部がオープンする。
なお、ここで、コントロールキーは一例であり、別のキーを本動作に割り当ててもよい。
【００８８】
チェックボックス１１０４が選択された場合、給紙部ボタン４０６ａ〜４０６ｈ上に配置されている給紙部オープンボタン４０７ａ〜４０７ｈの上に、オペレータが用紙リスト欄４１４でドラッグした用紙をドロップすると、対応する給紙部がオープンする。
すなわち、給紙部ボタン４０６ａ〜４０６ｈの領域内で、給紙部オープンボタン４０７ａ〜４０７ｈ以外の領域でドラッグした用紙をドロップした場合は、給紙部はオープンせず、給紙部への用紙の割り当てのみが実行される。
【００８９】
チェックボックス１１０５が選択された場合は、給紙部に入っている用紙のサイズと、これから割り当てる用紙のサイズが異なる場合にのみ、給紙部をオープンする。これは、サイズの異なる用紙が割り当てられた場合には、必ず用紙を入れ替えなければならないためである。
【００９０】
用紙を割り当てた際に給紙部のオープンが不要なケースとしては、例えば、１つの用紙に対して季節毎に調整した複数の用紙を別の名称で登録しておき、これらを季節毎に使い分ける場合がある。具体的な例としては、図４の調整ボタン４１７に表示されている各種のパラメータの１つである、画像形成装置１０３の二次転写電圧の調整がある。
二次転写電圧の調整は、トナー像を用紙に転写する際の電圧を変えるパラメータであり、画像形成装置１０３を使用する環境（湿度、温度）に大きく依存する。そのため、例えば二次転写電圧の調整値を季節毎に変えた４種類の用紙として登録しておき、季節に応じて使い分けることがある。こうした場合には、給紙部に入っている用紙自体を入れ替える必要はなく、パラメータの調整値を変更するだけでよい。
このように、調整値のみが異なる用紙を割り当てる場合には、給紙部をオープンしないように制御する項目を用意してもよい。
【００９１】
＜実施形態２＞
実施形態１では、オペレータが指定した給紙部に所望の属性の用紙を割り当てると同時に、印刷制御装置１０２の給紙部をオープンするように設定した。これにより、オペレータによる給紙部への給紙誤りを防ぎ、給紙部に設定された用紙の属性と一致する用紙が正しく給紙部に給紙できるように図っている。
これに対して、実施形態２では、給紙部をオープンしたくない場合や、オペレータの操作ミスを防止するために、オペレータが用紙を割り当ててから給紙部をオープンするまでに時間的な猶予を持たせるように設定する。これにより、必要に応じて、オペレータが給紙部のオープン処理をキャンセルできるようにする。
なお、印刷システム１００の全体構成、印刷制御装置１０２のハードウェア構成、画像形成装置１０３のハードウェア構成、などについては、実施形態１と同様である。
【００９２】
実施形態２において、印刷制御装置１０２と画像形成装置１０３との、連携した流れについて、図１２を用いて説明する。
印刷制御装置１０２について実行されるプログラムは、印刷制御装置１０２の外部記憶装置３０９に格納されており、ＲＡＭ３０２に読み出され、ＣＰＵ３０１によって実行される。
図１２は、オペレータが、指定した給紙部に所望の属性の用紙を割り当てた後、給紙部がオープンされる前に、給紙部のオープン処理をキャンセルする処理を説明したものである。なお、ここでは、実施形態１と同様に、両面コート紙８０１を給紙部Ａ（給紙部１１６ａ）に割り当てる例を示す。
【００９３】
Ｓ１２０１〜Ｓ１２１２は、実施形態１における、図９のＳ９０１〜Ｓ９１２と同じであるため、説明を省略する。
Ｓ１２１３において、用紙管理アプリケーションは、給紙部１１６ａをオープンする指示を画像形成装置１０３に送信する前に、設定されている時間、給紙部４０６ａのオープンボタン４０７ａを点滅させる。
点滅は例えば、給紙部オープンアイコンの色をグレーから黒に一定時間ごとに変えることにより表現する。
【００９４】
Ｓ１２１４において、給紙部オープンボタン４０７ａが点滅中に、オペレータは給紙部オープンボタン４０７ａを押下する。
給紙部オープンボタン４０７ａが点滅中に押下されると、用紙管理アプリケーションは給紙部４０６ａのオープン処理をキャンセルする。すなわち、用紙管理アプリケーションは、画像形成装置１０３に給紙部４０６ａをオープンする指示を送信しない。
そして、Ｓ１２１５にて、用紙管理アプリケーションは、給紙部オープンボタン４０７ａをクローズ状態へ変更する。
なお、給紙部オープンボタン４０７ａが点滅中に、オペレータによる給紙部オープンボタン４０７ａの押下がなされなかった場合は、設定時間が経過後、給紙部オープンボタン４０７ａの点滅が終了した後に、給紙部１１６ａがオープンする。
【００９５】
図１３は、実施形態２における、給紙部へ用紙を割り当てる処理について、用紙管理アプリケーションが実行する処理の流れを示すフローチャートである。
Ｓ１３０１〜Ｓ１３０５は、実施形態１における図１０のＳ１００１〜Ｓ１００５と同じであるため、説明を省略する。
【００９６】
Ｓ１３０６において、用紙管理アプリケーションは、給紙部オープンボタン４０７ａの点滅を開始する。
次に、Ｓ１３０７において、用紙管理アプリケーションは、後述する図１４で設定されている時間が経過したか否かをチェックする。
設定時間が経過すると、Ｓ１３０８において、用紙管理アプリケーションは、給紙部１１６ａをオープンする指示を画像形成装置１０３へ送信する。
【００９７】
Ｓ１３０７で設定時間が経過していないと、Ｓ１３０９において、用紙管理アプリケーションは、給紙部オープンボタン４０７ａが押下されたかをチェックする。
押下されていなければ、Ｓ１３０７に戻る。
【００９８】
一方、Ｓ１３０９で給紙部オープンボタン４０７ａが押下された場合、用紙管理アプリケーションは、オペレータが給紙部１１６ａのオープンを中止する指示をしたとみなす。
そして、Ｓ１３１０において、用紙管理アプリケーションは、給紙部オープンボタン４０７ａの点滅を止め、本フローチャートは終了する。
このように、給紙部オープンボタンが点滅中に給紙部オープンボタンを押下することで、オペレータは、給紙部のオープンを中止することができる。
【００９９】
図１４は、用紙を割り当てる際に、給紙部を点滅させる時間を設定できる設定画面の一例を表したものである。
所望の属性の用紙を所望の給紙部に割り当てた後、設定画面で設定された時間が経過すると、給紙部のオープンが実行される。図１４では、一例として、設定時間１３０１に５秒が設定されている例を示す。ＯＫボタン１３０２が押下されると、設定時間が保存され、設定画面が閉じる。キャンセルボタン１３０３が押下されると、設定画面上での変更がキャンセルされ、設定画面が閉じる。なお、ここで説明した設定画面は、印刷制御装置１０２の表示装置１１３上などに表示される。
【０１００】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上記実施形態に限定されるものではなく、本発明の趣旨に基づき種々の変形（各実施形態の有機的な組合せを含む）が可能であり、それらを本発明の範囲から除外するものではない。すなわち、上述した各実施形態及びその変形例を組み合わせた構成もすべて本発明に含まれるものである。
【符号の説明】
【０１０１】
１００  印刷システム
１０１  クライアントコンピュータ
１０２  印刷制御装置
１０３  画像形成装置
１１３  表示装置
１１４  キーボード
１１５  マウス
１１６  給紙部
４０１  用紙管理アプリケーションのトップ画面
４０５  ハードウェアオプションの接続状況チャート
４０６  給紙部ボタン
４０７  給紙部オープンボタン
４１４  用紙リスト欄
４１７  調整ボタン
【図１】
2019188691.tif 000003
【図２】
2019188691.tif 000004
【図３】
2019188691.tif 000005
【図４】
2019188691.tif 000006
【図５】
2019188691.tif 000007
【図６】
2019188691.tif 000008
【図７】
2019188691.tif 000009
【図８】
2019188691.tif 000010
【図９】
2019188691.tif 000011
【図１０】
2019188691.tif 000012
【図１１】
2019188691.tif 000013
【図１２】
2019188691.tif 000014
【図１３】
2019188691.tif 000015
【図１４】
2019188691.tif 000016